(57)【要約】【課題】正しい時刻に確実に炊飯が開始される炊飯器を提供する。【解決手段】炊飯器は、内部に中空部が形成された本体と、本体の中空部に着脱自在に収納され、内部に被加熱物を収容する鍋状容器と、鍋状容器を加熱する加熱部と、現在時刻を計時する計時部と、電波時刻信号を受信する受信部と、受信部が受信する電波時刻信号によって、計時部が計時する現在時刻を補正する補正手段を有する制御部と、を備え、補正手段は、加熱部が動作を完了する予約時刻を設定する予約設定モードに移行する際に現在時刻を補正するものである。【選択図】図４
2019180710.tif 000002
【特許請求の範囲】
【請求項１】
内部に中空部が形成された本体と、
前記本体の前記中空部に着脱自在に収納され、内部に被加熱物を収容する鍋状容器と、
前記鍋状容器を加熱する加熱部と、
現在時刻を計時する計時部と、
電波時刻信号を受信する受信部と、
前記受信部が受信する電波時刻信号によって、前記計時部が計時する現在時刻を補正する補正手段を有する制御部と、を備え、
前記補正手段は、
前記加熱部が動作を完了する予約時刻を設定する予約設定モードに移行する際に現在時刻を補正するものである
炊飯器。
【請求項２】
前記補正手段は、
前記予約設定モードにおいて予約時刻が設定された後の予約待機モードに移行する際に現在時刻を補正するものである
請求項１記載の炊飯器。
【請求項３】
前記制御部は、
前記補正手段によって補正された現在時刻と、設定された予約時刻との時間差が時間差閾値を超えない場合、前記予約待機モードを解除する
請求項２記載の炊飯器。
【請求項４】
前記補正手段は、
予め決められた時間毎に現在時刻を補正するものであり、
前記予約待機モード時の補正間隔が、前記予約待機モード以外のモード時の補正間隔よりも短く設定されている
請求項２又は３記載の炊飯器。
【請求項５】
前記予約時刻に基づく炊飯開始時刻を記憶する記憶部を更に備え、
前記制御部は、
商用電源が断電し、その後復電した際、断電直前に前記予約待機モードであり、且つ前記補正手段によって補正された現在時刻が、前記記憶部が記憶する炊飯開始時刻以前である場合、前記予約待機モードを継続する
請求項２〜４のいずれか１項に記載の炊飯器。
【請求項６】
表示部又は報知部を更に備え、
前記表示部又は前記報知部は、
前記予約待機モード移行時に、現在時刻から予約時刻までの予約待機時間を表示又は報知する
請求項２〜５のいずれか１項に記載の炊飯器。
【請求項７】
表示部又は報知部を更に備え、
前記表示部又は前記報知部は、
前記受信部が受信する電波時刻信号と前記計時部が計時する現在時刻との時刻差が時刻差閾値を超える場合、現在時刻の補正の要否を表示又は報知する
請求項１〜５のいずれか１項に記載の炊飯器。
【請求項８】
表示部又は報知部を更に備え、
前記表示部又は前記報知部は、
前記受信部が受信する電波時刻信号と前記計時部が計時する現在時刻との時刻差が時刻差閾値を超える場合、前記本体の設置場所の変更を促すことを表示又は報知する
請求項１〜５のいずれか１項に記載の炊飯器。
【請求項９】
前記補正手段は、
前記受信部が受信する電波時刻信号と前記計時部が計時する現在時刻との時刻差が時刻差閾値を超える場合、現在時刻の補正を保留する
請求項１〜８のいずれか１項に記載の炊飯器。
【請求項１０】
前記制御部は、
前記受信部が受信する電波時刻信号と前記計時部が計時する現在時刻との時刻差が時刻差閾値を超える場合、前記受信部の動作を停止する
請求項１〜９のいずれか１項に記載の炊飯器。
【請求項１１】
前記補正手段は、
前記加熱部が誘導加熱動作中の場合、現在時刻の補正を保留する
請求項１〜１０のいずれか１項に記載の炊飯器。
【発明の詳細な説明】
【技術分野】
【０００１】
本発明は、電波時刻信号に基づいて現在時刻を補正する炊飯器に関する。
【背景技術】
【０００２】
従来、電波時計を搭載し、電波時刻信号に基づいて現在時刻を補正する炊飯器が知られている。特許文献１には、商用電源を接続した際に現在時刻を補正し、また、所定時間毎に現在時刻を補正する炊飯器が開示されている。特許文献２には、所定の動作モードのときにのみ現在時刻を補正する炊飯器が開示されている。特許文献２は、例えば待機モード時、予約確定時、予約確定モード時、蒸らし終了時、再加熱終了時及び保温温度移行時等にのみ現在時刻を補正する。
【先行技術文献】
【特許文献】
【０００３】
【特許文献１】特許第３６６２２０６号公報
【特許文献２】特許第４０３６０８４号公報
【発明の概要】
【発明が解決しようとする課題】
【０００４】
しかしながら、特許文献１及び特許文献２に開示された炊飯器は、予約時刻を設定する予約設定モードに移行する際に現在時刻を補正していない。このため、予約時刻を設定する際に現在時刻がずれていた場合、設定される予約時刻と現在時刻にずれがあるため、正しい時刻に予約炊飯が完了しない。更には、その後に現在時刻が補正されても、予約炊飯が成立しないような条件となってしまう場合もあり、後から希望の時刻に炊飯が完了しなかったことに気付くことも発生する。
【０００５】
本発明は、上記のような課題を背景としてなされたもので、正しい時刻に確実に炊飯が開始される炊飯器を提供するものである。
【課題を解決するための手段】
【０００６】
本発明に係る炊飯器は、内部に中空部が形成された本体と、本体の中空部に着脱自在に収納され、内部に被加熱物を収容する鍋状容器と、鍋状容器を加熱する加熱部と、現在時刻を計時する計時部と、電波時刻信号を受信する受信部と、受信部が受信する電波時刻信号によって、計時部が計時する現在時刻を補正する補正手段を有する制御部と、を備え、補正手段は、加熱部が動作を完了する予約時刻を設定する予約設定モードに移行する際に現在時刻を補正するものである。
【発明の効果】
【０００７】
本発明によれば、補正手段が予約設定モードに移行する際に現在時刻を補正するため、設定される予約時刻が正確である。よって、正しい時刻に炊飯が開始される。
【図面の簡単な説明】
【０００８】
【図１】本発明の実施の形態１に係る炊飯器１を示す斜視図である。
【図２】本発明の実施の形態１に係る炊飯器１を示す断面図である。
【図３】本発明の実施の形態１に係る炊飯器１を示すハードウエア構成図である。
【図４】本発明の実施の形態１に係る炊飯器１の動作を示すフローチャートである。
【図５】本発明の実施の形態２に係る炊飯器１の動作を示すフローチャートである。
【図６】本発明の実施の形態３に係る炊飯器１の動作を示すフローチャートである。
【図７】本発明の実施の形態４に係る炊飯器１の動作を示すフローチャートである。
【図８】本発明の実施の形態５に係る炊飯器１の動作を示すフローチャートである。
【図９】本発明の実施の形態６に係る炊飯器１の動作を示すフローチャートである。
【図１０】本発明の実施の形態７に係る炊飯器１の動作を示すフローチャートである。
【図１１】本発明の実施の形態８に係る炊飯器１の動作を示すフローチャートである。
【図１２】本発明の実施の形態９に係る炊飯器１の動作を示すフローチャートである。
【図１３】本発明の実施の形態１０に係る炊飯器１の動作を示すフローチャートである。
【図１４】本発明の実施の形態１１に係る炊飯器１の動作を示すフローチャートである。
【発明を実施するための形態】
【０００９】
実施の形態１．
以下、本発明に係る炊飯器１の実施の形態について、図面を参照しながら説明する。図１は、本発明の実施の形態１に係る炊飯器１を示す斜視図であり、図２は、本発明の実施の形態１に係る炊飯器１を示す断面図である。図１及び図２に示すように、炊飯器１は、例えば電磁誘導加熱式調理器であり、本体２と、蓋体３と、加熱部４と、鍋状容器５とを有している。本体２は、上面が開口２１となっている有底円筒状をなしており、内部に中空部２２が形成されている。蓋体３は、本体２の上面に開閉自在に取り付けられ、本体２の開口２１を塞ぐ。加熱部４は、本体２の中空部２２の底面に設けられており、鍋状容器５の底面に沿う形状をなしている。加熱部４は、例えば加熱コイルであり、鍋状容器５に渦電流を誘起して鍋状容器５を加熱する。なお、加熱部４は、平坦であってもよい。
【００１０】
図３は、本発明の実施の形態１に係る炊飯器１を示すハードウエア構成図である。図３に示すように、炊飯器１は、入力部６と、表示部７と、報知部８と、温度検知部９と、計時部１０と、受信部１１と、記憶部１２と、制御部１３とを備えている。入力部６は、キースイッチ等からなり、メニュー等の設定を入力するものである。表示部７は、ＬＣＤ又はＬＥＤ等からなり、現在時刻及び設定されたメニュー等の炊飯情報を表示する。報知部８は、ブザー又はスピーカ等からなり、例えば、炊飯完了時に炊飯が完了したことを報知する。温度検知部９は、鍋状容器５の外面の温度を検知して、鍋状容器５内部の温度を間接的に検知する。計時部１０は、現在時刻を計時する。受信部１１は、例えばアンテナからなり、電波時刻信号を受信する。記憶部１２は、例えば不揮発性メモリからなり、現在時刻及び予約時の炊飯開始時刻等の予約設定の内容を記憶する。記憶部１２は省略されてもよい。
【００１１】
次に、炊飯の予約設定について説明する。入力部６の予約キーが入力されると、加熱部４が動作を完了する予約時刻を設定する予約設定モードに移行する。予約設定モード中は、予約時刻及びメニューの設定の受け付けが継続して行われる。入力部６の炊飯キーが入力されると、予約内容が確定し、予約待機モードに移行する。予約待機モードでは、炊飯開始時刻となるまで待機され、炊飯開始時刻に炊飯が開始され、予約時刻となったときに、炊飯が完了する。なお、入力部６の取消キーが入力されると、予約設定モードが解除される。
【００１２】
制御部１３は、表示部７及び加熱部４等を制御して炊飯動作を実行する。制御部１３は、補正手段１４を有している。補正手段１４は、受信部１１が受信する電波時刻信号によって、計時部１０が計時する現在時刻を補正する。ここで、補正手段１４が現在時刻を補正するタイミングについて説明する。補正手段１４は、炊飯器１に商用電源が接続されたときに、現在時刻を補正する。また、補正手段１４は、正時（００分）毎に現在時刻を補正する。更に、補正手段１４は、前回の補正から１時間経過したときに現在時刻を補正する。そして、補正手段１４は、予約設定モードに移行する際に現在時刻を補正する。
【００１３】
図４は、本発明の実施の形態１に係る炊飯器１の動作を示すフローチャートである。次に、炊飯器１の時刻補正の動作について説明する。図４に示すように、先ず、商用電源が接続される（ステップＳ１）と、補正手段１４は現在時刻を補正する（ステップＳ２）。その後、予約キーの入力の有無が判定され（ステップＳ３）、予約キーの入力があった場合（ステップＳ３のＹＥＳ）、予約設定モードに移行する（ステップＳ７）。このとき、補正手段１４は現在時刻を補正する（ステップＳ８）。現在時刻最新状態に保たれた状態で、予約時刻及びメニューの設定の受け付けが行われ（ステップＳ９）、正時（００分）又は１時間経過したかが判定される（ステップＳ１０）。正時（００分）又は１時間経過した場合（ステップＳ１０のＹＥＳ）、補正手段１４は現在時刻を補正する（ステップＳ１１）。
【００１４】
一方、正時（００分）ではなく、１時間経過していない場合（ステップＳ１０のＮＯ）、補正手段１４は現在時刻を補正せずにスキップする。その後、炊飯キーの入力の有無が判定され（ステップＳ１２）、炊飯キーの入力がない場合（ステップＳ１２のＮＯ）、取消キーの入力の有無が判定される（ステップＳ１３）。取消キーの入力もなかった場合（ステップＳ１３のＮＯ）、ステップＳ９に戻り、予約時刻及びメニューの設定の受け付けが継続される。一方、炊飯キーの入力がある場合又は取消キーの入力がある場合、ステップＳ６に進み、商用電源が接続されているかの判断が再び行われる。
【００１５】
ここで、予約キーの入力がない場合（ステップＳ３のＮＯ）、取消モード等の予約設定モード以外のモードであると判断される。この場合、正時（００分）又は１時間経過したかが判定され（ステップＳ４）、正時（００分）又は１時間経過した場合（ステップＳ４のＹＥＳ）、補正手段１４は現在時刻を補正する（ステップＳ５）。一方、正時（００分）ではなく、１時間経過していない場合（ステップＳ４のＮＯ）、補正手段１４は現在時刻を補正せずにスキップする。そして、商用電源が接続されているかの判断が再び行われる（ステップＳ６）。
【００１６】
本実施の形態１によれば、補正手段１４が予約設定モードに移行する際に現在時刻を補正するため、設定される予約時刻が正確である。よって、正しい時刻に炊飯が開始される。このため、予約内容が確定したあとの予約待機モード移行時のみに時刻補正が行われる従来の炊飯器に比べて、あとから誤った予約設定であったことに気づいてやり直しをすることがなくなる。従って、使い勝手が良い炊飯器１が実現される。また、その結果、予約することができない等の予約及び時刻に関わる市場不良を削減することができる。更に、現在時刻及び炊飯メニューを記憶するためのバックアップ用電池を削除することもできるため、安全性の向上及びコスト削減も可能である。
【００１７】
実施の形態２．
図５は、本発明の実施の形態２に係る炊飯器１の動作を示すフローチャートである。本実施の形態２は、予約待機モード移行時にも、時刻補正が行われる点で、実施の形態１と相違する。本実施の形態２では、実施の形態１と共通する部分は同一の符号を付して説明を省略し、実施の形態１との相違点を中心に説明する。
【００１８】
補正手段１４は、予約待機モードに移行する際に現在時刻を補正する。図５において、ステップＳ１〜ステップＳ１３は、実施の形態１のステップＳ１〜ステップＳ１３と同様である。図５に示すように、ステップＳ１２において、炊飯キーの入力の有無が判定され、炊飯キーの入力がある場合（ステップＳ１２のＹＥＳ）、予約待機モードに移行する（ステップＳ２０）。このとき、補正手段１４は現在時刻を補正する（ステップＳ２１）。
【００１９】
本実施の形態２によれば、補正手段１４が予約設定モードに移行する際だけではなく、予約待機モードに移行する際に現在時刻を補正する。このため、予約待機モード時において、正確な現在時刻を把握することができる。従って、予約時刻に確実に炊飯を完了することができる。
【００２０】
実施の形態３．
図６は、本発明の実施の形態３に係る炊飯器１の動作を示すフローチャートである。本実施の形態３は、予約待機モード時に炊飯が開始されるまでの時間が確保されているかを判定する点で、実施の形態１と相違する。本実施の形態３では、実施の形態１と共通する部分は同一の符号を付して説明を省略し、実施の形態１との相違点を中心に説明する。
【００２１】
制御部１３は、補正手段１４によって補正された現在時刻と、設定された予約時刻との時間差が時間差閾値を超えない場合、予約待機モードを解除する。図６において、ステップＳ１〜ステップＳ１３及びステップＳ２０〜ステップＳ２１は、実施の形態２のステップＳ１〜ステップＳ１３及びステップＳ２０〜ステップＳ２１と同様である。図６に示すように、ステップＳ２１において、制御部１３は、予約待機モードに移行する際に補正手段１４が現在時刻を補正した後、補正された現在時刻と設定された予約時刻との時間差Ｘを求める（ステップＳ３０）。そして、制御部１３は、時間差Ｘが時間差閾値を超えているかを判定する（ステップＳ３１）。
【００２２】
制御部１３は、時間差Ｘが時間差閾値を超えている場合（ステップＳ３１のＹＥＳ）、炊飯開始時刻までに十分な時間があると判断し、予約待機モードを継続し、ステップＳ６に進む。一方、制御部１３は、時間差Ｘが時間差閾値を超えない場合（ステップＳ３１のＮＯ）、炊飯開始時刻までに猶予がないと判断し、予約待機モードを解除して（ステップＳ３２）、直ちに炊飯を開始する（ステップＳ３３）。例えば時間差Ｘが５０分しかない場合、予約時刻までに炊飯が完了しないため、予約待機せずに直ちに炊飯を開始し、できるだけ早期に炊飯を完了させる。
【００２３】
本実施の形態３によれば、直近に補正された現在時刻を用いて、予約待機モード時に炊飯が開始されるまでの時間が確保されているかを判定するため、正確な炊飯の予約を設定することができる。
【００２４】
実施の形態４．
図７は、本発明の実施の形態４に係る炊飯器１の動作を示すフローチャートである。本実施の形態４は、予約待機モード時に現在時刻の補正の補正間隔が短く設定されている点で、実施の形態１と相違する。本実施の形態４では、実施の形態１と共通する部分は同一の符号を付して説明を省略し、実施の形態１との相違点を中心に説明する。
【００２５】
本実施の形態４では、予約待機モード時の補正間隔が、予約待機モード以外のモード時の補正間隔よりも短く設定されている。予約待機モード以外のモードとは、例えば商用電源が接続された状態の通常モード又は予約設定モード等が挙げられる。通常モード等では、正時（００分）又は前回の補正から１時間経過したときに、補正手段１４が現在時刻を補正する。これに対し、予約待機モードでは、正時（００分）、３０分又は前回の補正から３０分経過したときに、補正手段１４が現在時刻を補正する。
【００２６】
図７に示すように、先ず、商用電源が接続される（ステップＳ４０）と、補正手段１４は現在時刻を補正する（ステップＳ４１）。その後、予約待機モードであるかが判定され（ステップＳ４２）、予約待機モードでない場合（ステップＳ４２のＮＯ）、正時（００分）又は１時間経過したかが判定される（ステップＳ４３）。正時（００分）又は１時間経過した場合（ステップＳ４３のＹＥＳ）、補正手段１４は現在時刻を補正する（ステップＳ４４）。一方、正時（００分）ではなく、１時間経過していない場合（ステップＳ４３のＮＯ）、補正手段１４は現在時刻を補正せずにスキップする。そして、商用電源が接続されているかの判断が再び行われる（ステップＳ４５）。
【００２７】
一方、予約待機モードである場合（ステップＳ４２のＹＥＳ）、正時（００分）、３０分又は３０分経過したかが判定される（ステップＳ４６）。正時（００分）、３０分又は３０分経過した場合（ステップＳ４６のＹＥＳ）、補正手段１４は現在時刻を補正する（ステップＳ４４）。一方、正時（００分）ではなく、３０分ではなく、３０分経過していない場合（ステップＳ４６のＮＯ）、補正手段１４は現在時刻を補正せずにスキップする。そして、商用電源が接続されているかの判断が再び行われる（ステップＳ４５）。
【００２８】
本実施の形態４によれば、予約待機モード以外のモードでは１時間毎に時刻補正が行われるのに対し、予約待機モードでは３０分毎に時刻補正が行われる。予約待機モードは、比較的長時間となり易い。長時間となり易い予約待機モードにおいて、現在時刻のずれを頻繁に補正することによって、予約することができない等の予約及び時刻に関わる市場不良を削減することができる。
【００２９】
実施の形態５．
図８は、本発明の実施の形態５に係る炊飯器１の動作を示すフローチャートである。本実施の形態５は、電波時刻信号の正確性を判断している点で、実施の形態１と相違する。本実施の形態５では、実施の形態１と共通する部分は同一の符号を付して説明を省略し、実施の形態１との相違点を中心に説明する。
【００３０】
補正手段１４は、受信部１１が受信する電波時刻信号と計時部１０が計時する現在時刻との時刻差が時刻差閾値を超える場合、現在時刻の補正を保留する。時刻差閾値は、想定範囲外と認定される程度の値に設定される。例えば、受信部１１で受信する時間間隔が１時間毎であり、現在時刻との誤差が１０秒と想定される場合、時刻差閾値を２０秒とすれば、時刻差が時刻差閾値を超えた場合に、電波時刻信号に異常が生じていると判断することができる。例えば、時刻差が２５分である場合、受信した電波時刻信号が不正確であることは明白であり、受信障害によって正確に受信することができず誤った電波時刻信号であると判断することができる。なお、本実施の形態５では、時刻差の判定を複数回、例えば２回行う。これにより、判定の正確性を向上させることができる。
【００３１】
図８に示すように、先ず、商用電源が接続される（ステップＳ５０）と、カウンターＮが０で初期化され（ステップＳ５１）、カウンターＮが１加算される（ステップＳ５２）。そして、受信部１１が電波時刻信号を受信する（ステップＳ５３）。次に、制御部１３は、受信部１１が受信する電波時刻信号と計時部１０が計時する現在時刻との時刻差Ｙを算出する（ステップＳ５４）。なお、現在時刻は、記憶部１２に記憶されていてもよい。そして、制御部１３は、時刻差Ｙの絶対値と時刻差閾値以下であるかを判定し（ステップＳ５５）、時刻差Ｙの絶対値が時刻差閾値より大きい場合（ステップＳ５５のＮＯ）、電波時刻信号が正しくないと判断し、カウンターＮが２であるかを判定する（ステップＳ５６）。
【００３２】
カウンターＮが２でない場合（ステップＳ５６のＮＯ）、ステップＳ５２〜ステップＳ５５を繰り返す。カウンターＮが２の場合（ステップＳ５６のＹＥＳ）、電波時刻信号が正しくない蓋然性が極めて高いと判断し、補正手段１４は現在時刻の補正を保留する（ステップＳ５７）。なお、時刻差Ｙの絶対値が時刻差閾値以下の場合（ステップＳ５５のＹＥＳ）、制御部１３は電波時刻信号が正しいと判断し、制御を終了する。
【００３３】
本実施の形態５によれば、電波時刻信号の正確性を判断し、電波時刻信号が正しくない場合に、現在時刻を補正しないため、予約することができない等の予約及び時刻に関わる市場不良を削減することができる。
【００３４】
実施の形態６．
図９は、本発明の実施の形態６に係る炊飯器１の動作を示すフローチャートである。本実施の形態６は、現在時刻の補正の要否をユーザに確認する点で、実施の形態１と相違する。本実施の形態６では、実施の形態１と共通する部分は同一の符号を付して説明を省略し、実施の形態１との相違点を中心に説明する。
【００３５】
表示部７又は報知部８は、受信部１１が受信する電波時刻信号と計時部１０が計時する現在時刻との時刻差が時刻差閾値を超える場合、現在時刻の補正の要否を表示又は報知する。図９において、ステップＳ５０〜ステップＳ５６は、実施の形態５のステップＳ５０〜ステップＳ５６と同様である。図９に示すように、ステップＳ５６において、カウンターＮが２の場合（ステップＳ５６のＹＥＳ）、制御部１３は、電波時刻信号を表示部７に表示する（ステップＳ６０）。そして、制御部１３は、現在時刻の補正の要否を表示部７又は報知部８に、表示又は報知させる（ステップＳ６１）。
【００３６】
ユーザは、補正の要否に対し、補正すると判断した場合、炊飯キーを押下する。これにより、補正手段１４は現在時刻を補正する（ステップＳ６２）。また、ユーザは、補正の要否に対し、補正しないと判断した場合、取消キーを押下する。これにより、補正手段１４は現在時刻を補正せずに制御は終了する。本実施の形態６では、制御部１３は、表示部７に補正の要否の入力を促す表示を行い、例えば炊飯キーで「良い」、取消キーで「良くない」といった入力を受け付ける。なお、ユーザの回答を入力する専用のキーを別途用意してもよい。
【００３７】
本実施の形態６によれば、実施の形態５の効果に加え、補正の要否をユーザに選択する構成となっているため、ユーザの意向に沿った制御を行うことができる。
【００３８】
実施の形態７．
図１０は、本発明の実施の形態７に係る炊飯器１の動作を示すフローチャートである。本実施の形態７は、商用電源が断電し、その後商用電源が接続された際に予約待機モードを継続するかを判断する点で、実施の形態１と相違する。本実施の形態７では、実施の形態１と共通する部分は同一の符号を付して説明を省略し、実施の形態１との相違点を中心に説明する。
【００３９】
予約待機モードに移行すると、制御部１３は、炊飯開始時刻を記憶部１２に書き込む。炊飯開始時刻は、例えば炊飯が完了する予約時刻から、炊飯に要する時間＋α前の時刻である。例えば、予約時刻が１８：００で、炊飯に要する時間が５０分間であり、炊飯条件によるばらつきを調整するための時間αを１０分間とした場合、１８：００から５０分間＋１０分間を遡った１７：００が炊飯開始時刻となる。
【００４０】
制御部１３は、商用電源が断電して停電となり、その後商用電源が接続された際、断電直前に予約待機モードであり、且つ補正手段１４によって補正された現在時刻が、記憶部１２が記憶する炊飯開始時刻以前である場合、予約待機モードを継続する。なお、制御部１３は、補正された現在時刻が、記憶部１２が記憶する炊飯開始時刻を過ぎている場合、予約待機モードが解除され、直ちに炊飯を開始する。
【００４１】
図１０に示すように、予約待機モードに移行すると（ステップＳ７０）、制御部１３は、炊飯開始時刻を記憶部１２に書き込む（ステップＳ７１）。商用電源が断電されて停電状態となった（ステップＳ７２）後、商用電源が接続されると（ステップＳ７３）、制御部１３は、停電前に記憶部１２に書き込まれた炊飯開始時刻を読み込む（ステップＳ７４）。そして、補正手段１４は、現在時刻を補正する（ステップＳ７５）。ここで、制御部１３は、読み込んだ炊飯開始時刻に基づいて、停電直前が予約待機モードであったかを判定する（ステップＳ７６）。停電直前が予約待機モードであった場合（ステップＳ７６のＹＥＳ）、制御部１３は、現在時刻が炊飯開始時刻以前であるかを判定する（ステップＳ７７）。制御部１３は、現在時刻が炊飯開始時刻以前の場合（ステップＳ７７のＹＥＳ）、予約待機モードを継続する（ステップＳ７８）。
【００４２】
その後、制御部１３は、取消キーの入力の有無を判定し（ステップＳ７９）、取消キーの入力がなかった場合（ステップＳ７９のＮＯ）、炊飯開始時刻になるまで予約待機モードを継続する（ステップＳ８０）。一方、停電直前が予約待機モードでない場合（ステップＳ７６のＮＯ）又は現在時刻が炊飯開始時刻以降の場合（ステップＳ７７のＮＯ）、制御が終了する。なお、ステップＳ７９において取消キーの入力があった場合（ステップＳ７９のＹＥＳ）又は予約炊飯開始時刻となった場合（ステップＳ８０のＹＥＳ）、制御が終了する。
【００４３】
本実施の形態７によれば、不揮発性メモリからなる記憶部１２を備えることにより、バックアップ用の電池を備えていなくても、停電等が発生した場合に最新の現在時刻のデータを用いて炊飯の予約設定を継続することができる。
【００４４】
実施の形態８．
図１１は、本発明の実施の形態８に係る炊飯器１の動作を示すフローチャートである。本実施の形態８は、予約待機時間を表示又は報知する点で、実施の形態１と相違する。本実施の形態８では、実施の形態１と共通する部分は同一の符号を付して説明を省略し、実施の形態１との相違点を中心に説明する。
【００４５】
表示部７又は報知部８は、予約待機モード移行時に、現在時刻から予約時刻までの予約待機時間を表示又は報知する。その際、補正手段１４は、現在時刻を補正している。図１１に示すように、予約待機モードに移行すると（ステップＳ９０）、補正手段１４は現在時刻を補正する（ステップＳ９１）。そして、制御部１３は、予約時刻と現在時刻との差である予約待機時間Ｚを算出し（ステップＳ９２）、表示部７又は報知部８に、予約待機時間Ｚを表示又は報知させる（ステップＳ９３）。
【００４６】
本実施の形態８によれば、補正された最新の現在時刻に基づいて求められた予約待機時間を表示又は報知するため、予約時刻の設定が適切であるかをユーザが判断することができる。また、稀ではあるが、補正された最新の現在時刻が大きくずれていた場合にも、ユーザは異常として認識することができる。なお、変形例として、予約待機時間が極端に短く、実施の形態３のように炊飯に要する時間の確保が困難と想定される場合について説明する。この場合、予約待機時間を表示又は報知する際に、「予約待機時間が短く予約炊飯ができません」と表示又は報知して、予約待機モードを解除する構成としてもよい。
【００４７】
実施の形態９．
図１２は、本発明の実施の形態９に係る炊飯器１の動作を示すフローチャートである。本実施の形態９は、実施の形態５の変形例であり、時刻差の判定を複数回行って、設置場所の適正性を判断する点で、実施の形態５と相違する。本実施の形態９では、実施の形態５と共通する部分は同一の符号を付して説明を省略し、実施の形態５との相違点を中心に説明する。
【００４８】
制御部１３は、受信部１１が受信する電波時刻信号と計時部１０が計時する現在時刻との時刻差が時刻差閾値を超える場合、受信部１１の動作を停止する。図１２において、ステップＳ５０〜ステップＳ５５は、実施の形態５のステップＳ５０〜ステップＳ５５と同様である。図１２に示すように、時刻差Ｙの絶対値が時刻差閾値より大きい場合（ステップＳ５５のＮＯ）、カウンターＮが所定の回数に達したかを判定する（ステップＳ１００）。カウンターＮが所定の回数未満の場合（ステップＳ１００のＮＯ）、ステップＳ５２〜ステップＳ５５を繰り返す。カウンターＮが所定の回数の場合（ステップＳ１００のＹＥＳ）、制御部１３は、設置場所が適正ではないと判断する（ステップＳ１０１）。そして、制御部１３は、受信部１１を含む炊飯器１の動作を停止する（ステップＳ１０２）。
【００４９】
本実施の形態９によれば、受信部１１による受信に問題が発生して本来備わる機能を発揮することができない条件下での炊飯器１の動作を禁止する。これにより、本来備わる機能を充分に発揮することができる設置場所への移動を促すことができる。
【００５０】
実施の形態１０．
図１３は、本発明の実施の形態１０に係る炊飯器１の動作を示すフローチャートである。本実施の形態１０は、実施の形態９の変形例であり、設置場所を変更することを促す点で、実施の形態９と相違する。本実施の形態１０では、実施の形態９と共通する部分は同一の符号を付して説明を省略し、実施の形態９との相違点を中心に説明する。
【００５１】
表示部７又は報知部８は、受信部１１が受信する電波時刻信号と計時部１０が計時する現在時刻との時刻差が時刻差閾値を超える場合、本体２の設置場所の変更を促すことを表示又は報知する。図１３において、ステップＳ５０〜ステップＳ５５及びステップＳ１００〜ステップＳ１０１は、実施の形態９のステップＳ５０〜ステップＳ５５及びステップＳ１００〜ステップＳ１０１と同様である。図１３に示すように、制御部１３が本体２の設置場所が適正ではないと判断したとき（ステップＳ１０１）、制御部１３は「設置場所を変更して下さい」と表示又は報知する（ステップＳ１１０）。
【００５２】
本実施の形態１０によれば、本体２の設置場所が適正ではないとき、本来備わる機能を充分に発揮することができる設置場所への移動を促す。これにより、正しい電波時刻信号を受信することができる。
【００５３】
実施の形態１１．
図１４は、本発明の実施の形態１１に係る炊飯器１の動作を示すフローチャートである。本実施の形態１１は、実施の形態１の変形例であり、時刻補正の前に、加熱部４による誘導加熱動作中であるかを判定する点で、実施の形態１と相違する。本実施の形態１１では、実施の形態１と共通する部分は同一の符号を付して説明を省略し、実施の形態１との相違点を中心に説明する。
【００５４】
補正手段１４は、加熱部４が誘導加熱動作中の場合、現在時刻の補正を保留する。図１４において、ステップＳ１〜ステップＳ１３は、実施の形態１のステップＳ１〜ステップＳ１３と同様である。図１４に示すように、商用電源が接続される（ステップＳ１）と、加熱部４が誘導加熱動作中の場合、補正手段１４は現在時刻の補正を保留する（ステップＳ１２０）。また、予約キーの入力が無い場合に正時（００分）又は１時間経過したかが判定され（ステップＳ４）、正時（００分）又は１時間経過した場合（ステップＳ４のＹＥＳ）、制御部１３は、加熱部４が誘導加熱動作中かを判定する（ステップＳ１２１）。
【００５５】
加熱部４が誘導加熱動作中の場合、補正手段１４は現在時刻の補正を保留する。更に、予約設定モード移行時に（ステップＳ７）、制御部１３は、加熱部４が誘導加熱動作中かを判定する（ステップＳ１２２）。加熱部４が誘導加熱動作中の場合、補正手段１４は現在時刻の補正を保留する。更にまた、予約時刻及びメニューの設定の受け付けが行われ（ステップＳ９）、正時（００分）又は１時間経過したかが判定され（ステップＳ１０）、正時（００分）又は１時間経過した場合（ステップＳ１０のＹＥＳ）、制御部１３は、加熱部４が誘導加熱動作中かを判定する（ステップＳ１２３）。加熱部４が誘導加熱動作中の場合、補正手段１４は現在時刻の補正を保留する。
【００５６】
本実施の形態１１によれば、制御部１３は、現在時刻の補正の４箇所のステップの直前に、誘導加熱動作中であるかの判定を行っている。誘導加熱動作中は、電磁界発生による影響で電波時刻信号の受信障害等が発生する可能性がある。本実施の形態１１では、誘導加熱動作中に時刻補正を行わないことによって、誘導加熱動作の影響をなくし、受信部１１における電波時刻信号の受信を確実に行う。これにより、実施の形態１〜１０の効果に加え、受信障害等による受信データの不具合、不具合に伴う受信処理の繰り返し等の制御上の問題を回避することができる。
【符号の説明】
【００５７】
１  炊飯器、２  本体、３  蓋体、４  加熱部、５  鍋状容器、６  入力部、７  表示部、８  報知部、９  温度検知部、１０  計時部、１１  受信部、１２  記憶部、１３  制御部、１４  補正手段、２１  開口、２２  中空部。
【図１】
2019180710.tif 000003
【図２】
2019180710.tif 000004
【図３】
2019180710.tif 000005
【図４】
2019180710.tif 000006
【図５】
2019180710.tif 000007
【図６】
2019180710.tif 000008
【図７】
2019180710.tif 000009
【図８】
2019180710.tif 000010
【図９】
2019180710.tif 000011
【図１０】
2019180710.tif 000012
【図１１】
2019180710.tif 000013
【図１２】
2019180710.tif 000014
【図１３】
2019180710.tif 000015
【図１４】
2019180710.tif 000016